(57)【特許請求の範囲】
【請求項１】
医療器具及び前記医療器具を保持するホルダーチューブが収納されるトレイと、前記トレイに収納されたホルダーチューブを結束する結束部材と、前記トレイを封止するカバーとから構成される保護ケースであって、
前記トレイは、前記ホルダーチューブから引き出された前記医療器具の先端部を収納する直線状の第１収納部と、巻かれた状態の前記ホルダーチューブを収納する円弧状の第２収納部と、前記第１収納部と前記第２収納部との接続箇所に設けられ、前記第２収納部に収納された前記ホルダーチューブの動きを規制する柱状凸部と、を有し、
前記結束部材は、前記第１収納部と前記第２収納部との分岐部と前記柱状凸部との間に位置していることを特徴とする
保護ケース。
【請求項２】
請求項１に記載の保護ケースであって、
前記カバーには、前記第１収納部及び前記第２収納部に入り込むカバー側凸部が設けられていることを特徴とする保護ケース。
【請求項３】
請求項１または請求項２に記載の保護ケースであって、
前記トレイに対して着脱可能に設けられ、前記第２収納部の一部を橋渡しする留め具を有することを特徴とする保護ケース。
【請求項４】
請求項１から請求項３の何れかに記載の保護ケースであって、
前記第２収納部は、半円よりも小さな円弧形状であることを特徴とする保護ケース。
【発明の詳細な説明】
【技術分野】
【０００１】
本発明は、長尺の医療器具を保護する保護ケースに関する。
【背景技術】
【０００２】
人体への低侵襲を目的とした治療や検査には、ガイドワイヤなどの長尺の医療器具が用いられる。このような長尺の医療器具は非常に細く柔軟であるため、外力によって変形が生じ易い。そこで、細長いチューブ体をループ状に巻いたもの（いわゆるホルダーチューブ）に医療器具を収納して、外力による医療器具の変形を防止することが一般に行われている。
【０００３】
また、ホルダーチューブは湾曲しているので、内部に収納される医療器具も、ホルダーチューブの形状に沿って僅かに湾曲する。医療器具の種類によっては、先端部が少しでも曲がると製品の性能に悪影響を及ぼす場合がある。そこで、このような医療器具の先端部を直線状に保つための保護ケースが提案されている（特許文献１、特許文献２）。保護ケースには直線状の収納部が設けられており、医療器具の先端部を収納部に収納することで、先端部の直線性を維持することができる。
【先行技術文献】
【特許文献】
【０００４】
【特許文献１】実開平６−１３８４７号公報
【特許文献２】米国特許出願公開第２００５／００４００６１号明細書
【発明の概要】
【発明が解決しようとする課題】
【０００５】
しかし、上述した従来の保護ケースでは、保護ケースに対して医療器具が比較的自由に動くことで、搬送中に医療器具が折れ曲がってしまう場合があるという問題があった。
【０００６】
この発明は、従来の技術が有する上述した課題に対応してなされたものであり、長尺の医療器具の先端部を直線状に保つことができ、且つ、搬送中の医療器具の折れ曲がりを防止可能な保護ケースの提供を目的とする。
【課題を解決するための手段】
【０００７】
上述した課題を解決するために、本発明の医療器具の保護ケースは次の構成を採用した。すなわち、医療器具が収納されるトレイと、前記トレイを封止するカバーとから構成される保護ケースであって、前記トレイには、前記医療器具の先端部を収納する直線状の第１収納部と、前記医療器具の一部を収納する円弧状の第２収納部とが設けられており、前記第２収納部には、前記第２収納部に対する前記医療器具の動きを規制する凸部が設けられていることを特徴とする。
【０００８】
このような本発明の医療器具の保護ケースは、直線状の第１収納部を有するので、医療器具の先端部を直線状に保つことができる。また、本発明の保護ケースは、円弧状の第２収納部を有し、且つ、第２収納部に設けられた凸部によって第２収納部に対する医療器具の動きが規制されるので、搬送中などに医療器具が折れ曲がることを防ぐことが可能となる。
【０００９】
また、上述した本発明の医療器具の保護ケースは、以下のような態様で把握することもできる。すなわち、医療器具が収納されるトレイと、前記トレイを封止するカバーとから構成される保護ケースであって、前記トレイには、前記医療器具の先端部を収納する直線状の第１収納部と、前記医療器具の一部を収納する円弧状の第２収納部とが設けられており、前記トレイの前記第１収納部と前記第２収納部との接続箇所には、前記第２収納部に対する前記医療器具の動きを規制する柱状凸部が設けられていることを特徴とする。
【００１０】
このような本発明の医療器具の保護ケースは、直線状の第１収納部を有するので、医療器具の先端部を直線状に保つことができる。また、本発明の保護ケースは、第１収納部と前記第２収納部との接続箇所に設けられた柱状凸部によって第２収納部に対する医療器具の動きが規制されるので、搬送中などに医療器具が折れ曲がることを防ぐことが可能となる。
【００１１】
また、上述した本発明の保護ケースにおいては、カバーに対して、第１収納部および第２収納部に入り込むカバー側凸部を設けることとしてもよい。
【００１２】
このような本発明の保護ケースでは、第１収納部および第２収納部に入り込むカバー側凸部が設けられているので、医療器具が保護ケース内で上下方向に動くことを抑制できる。その結果、医療器具の先端部の直線性の維持、および折れ曲がりの防止をより確実に実現することが可能となる。
【００１３】
また、上述した本発明の保護ケースにおいては、第２収納部の少なくとも一部を橋渡しする留め具を、トレイに対して着脱可能に設けることとしてもよい。
【００１４】
このような本発明の保護ケースでは、第２収納部の少なくとも一部を橋渡しする留め具が設けられているので、上述した本発明の効果（医療器具の先端部の直線性の維持、および折れ曲がりの防止）に加えて、トレイからカバーを取り外したときに、勢いでトレイから医療器具が飛び出して落下することを防ぐことが可能となる。
【００１５】
また、本発明の保護ケースにおいては、第２収納部を、半円よりも小さな円弧形状に形成することとしてもよい。
【００１６】
このような本発明の保護ケースでは、第２収納部が半円よりも小さな円弧形状なので、上述した本発明の保護ケースの機能を維持しつつ、保護ケース（ひいては包装体全体）のコンパクト化を図ることができる。
【００１７】
また、第２収納部が半円よりも小さな円弧形状なので、その分、医療器具が保護ケースから露出する部分は大きくなる。医師は、医療器具の露出部を片手で把持しながら、もう一方の手で保護ケースを開封するので、保護ケースからの露出部が十分に確保されていることで、保護ケースの開封作業を行い易くすることが可能となる。
【図面の簡単な説明】
【００１８】
【図１】本発明の第１実施形態の保護ケースを医療器具に装着した様子を示した説明図である。
【図２】本発明の第１実施形態の保護ケースの構成を示した説明図である。（ａ）には保護ケースのカバーが示されており、（ｂ）には保護ケースのトレイにガイドワイヤを収納した状態が示されている。
【図３】本発明の第２実施形態の保護ケースの構成を示した説明図である。（ａ）には保護ケースのカバーが示されており、（ｂ）には保護ケースのトレイにガイドワイヤを収納した状態が示されている。
【図４】本発明の第３実施形態の保護ケースの構成を示した説明図である。（ａ）には保護ケースのカバーが示されており、（ｂ）には保護ケースのトレイにガイドワイヤを収納した状態が示されている。
【図５】本発明の第４実施形態の保護ケースの構成を示した説明図である。（ａ）には保護ケースのカバーが示されており、（ｂ）には保護ケースのトレイにガイドワイヤを収納した状態が示されており、（ｃ）には、（ｂ）のＡＡ断面を矢印の方向から見た様子が示されている。
【発明を実施するための形態】
【００１９】
Ａ．第１実施形態  ：
以下では、上述した本発明の内容を明確にするために、本発明の医療器具の保護ケースの各種実施形態を説明する。
図１は、本発明の第１実施形態の保護ケース１００を医療器具に装着した様子を示した説明図である。図１には、本実施形態の保護ケース１００が装着される長尺の医療器具の一例として、ガイドワイヤ３０が示されている。ガイドワイヤ３０は、その大部分がホルダーチューブ１０に収納される。ホルダーチューブ１０は、長いチューブ体１２を巻いて、結束部材１４で結束させたものである。ガイドワイヤ３０の先端部３０ａは、ホルダーチューブ１０から引き出されており、ガイドワイヤ３０の先端部３０ａ、およびホルダーチューブ１０の一部を覆うようにして、保護ケース１００が装着される。
【００２０】
尚、本実施形態のホルダーチューブ１０およびガイドワイヤ３０からなる組立体は、本発明の医療器具に対応する。
【００２１】
図２は、本発明の第１実施形態の保護ケース１００の構成を示した説明図である。（ａ）には保護ケース１００のカバー１０１が示されており、（ｂ）には保護ケース１００のトレイ１０２にガイドワイヤ３０を収納した状態が示されている。
【００２２】
カバー１０１には、医師がトレイ１０２からカバー１０１を取り外すときに把持するつまみ部１０３が設けられている。また、トレイ１０２には、ガイドワイヤ３０の先端部３０ａを収納する直線状の第１収納部１０４と、ホルダーチューブ１０（およびホルダーチューブ１０に収納されたガイドワイヤ３０）の一部を収納する円弧状の第２収納部１０５とが設けられている。
【００２３】
第２収納部１０５には、第２収納部１０５に対するホルダーチューブ１０およびガイドワイヤ３０の動きを規制する凸部１０６ａ，１０６ｂ，１０６ｃが設けられている。尚、本実施形態では、第２収納部１０５の側面に対して凸部１０６ａ，１０６ｂ，１０６ｃが設けられており、凸部１０６ａ，１０６ｂ，１０６ｃがホルダーチューブ１０（正確には、ホルダーチューブ１０の結束部材１４）と係合することによって、ホルダーチューブ１０およびガイドワイヤ３０の動きが規制される。
【００２４】
このような本実施形態の保護ケース１００では、直線状の第１収納部１０２によって、医療器具（本実施形態ではガイドワイヤ３０）の先端部３０ａを直線状に保つことができる。また、本実施形態の保護ケース１００は、円弧状の第２収納部１０５を有し、且つ、第２収納部１０５に設けられた凸部１０６ａ，１０６ｂ，１０６ｃによって第２収納部１０５に対する医療器具（本実施形態ではホルダーチューブ１０およびガイドワイヤ３０）の動きが規制されるので、搬送中などに医療器具（ガイドワイヤ３０）が折れ曲がることを防ぐことが可能となる。
【００２５】
Ｂ．第２実施形態  ：
図３は、本発明の第２実施形態の保護ケース１１０の構成を示した説明図である。（ａ）には保護ケース１１０のカバー１０１が示されており、（ｂ）には保護ケース１１０のトレイ１１２にガイドワイヤ３０を収納した状態が示されている。
【００２６】
第２実施形態の保護ケース１１０は、上述した第１実施形態の保護ケース１００とは以下の点で異なっている。すなわち、トレイ１１２の第１収納部１１４と第２収納部１１５との接続箇所に、柱状凸部１１７が設けられている。トレイ１１２に医療器具（ホルダーチューブ１０およびガイドワイヤ３０）を収納すると、ガイドワイヤ３０の直線状の先端部３０ａと、ループ状のホルダーチューブ１０（およびガイドワイヤ３０）との分岐部分が柱状凸部１１７に引っ掛かることによって、ホルダーチューブ１０およびガイドワイヤ３０の動きが規制される。
尚、本実施形態では、ホルダーチューブ１０の結束部材１４を柱状凸部１１７とトレイ１１２の分岐部１１６との間に設けている（図３（ｂ）を参照）。こうすることで、トレイ１１２に対するホルダーチューブ１０およびガイドワイヤ３０の動きをより一層、規制することができる。
その他の点については、上述した第１実施形態の保護ケース１００と同様である。保護ケース１００のカバー１０１には、開封時に把持するつまみ部１０３が設けられている。
【００２７】
このような本実施形態の保護ケース１１０では、直線状の第１収納部１１４によって、医療器具（本実施形態ではガイドワイヤ３０）の先端部３０ａを直線状に保つことができる。また、本実施形態の保護ケース１１０は、円弧状の第２収納部１１５を有し、且つ、第１収納部１１４と第２収納部１１５との接続箇所に設けられた柱状凸部１１７によって第２収納部１１５に対する医療器具（本実施形態ではホルダーチューブ１０およびガイドワイヤ３０）の動きが規制されるので、搬送中などに医療器具（ガイドワイヤ３０）が折れ曲がることを防ぐことが可能となる。
【００２８】
尚、図３に示したトレイ１１２には、図２に示した第２収納部１０５の凸部１０６ａ，１０６ｂ，１０６ｃが設けられていないが、こうした凸部１０６ａ，１０６ｂ，１０６ｃを更に設けることとしてもよい（図示は省略）。こうすれば、より確実に医療器具（ホルダーチューブ１０およびガイドワイヤ３０）の動きを規制することができる。
【００２９】
Ｃ．第３実施形態  ：
図４は、本発明の第３実施形態の保護ケース１２０の構成を示した説明図である。（ａ）には保護ケース１２０のカバー１２１が示されており、（ｂ）には保護ケース１２０のトレイ１０２にガイドワイヤ３０を収納した状態が示されている。
【００３０】
第３実施形態の保護ケース１２０は、上述した各種実施形態の保護ケースとは以下の点で異なっている。すなわち、保護ケース１２０のカバー１２１には、第１収納部１０４に入り込む第１カバー側凸部１２８が設けられている。同様にして、カバー１２１には、第２収納部１０５に入り込む第２カバー側凸部１２９が設けられている。
尚、本実施形態の第１カバー側凸部および第２カバー側凸部は、本発明のカバー側凸部に対応する。
【００３１】
その他の点については、上述した各種実施形態の保護ケースと同様である。保護ケース１２０のカバー１２１には開封時に把持するつまみ部１２３が設けられている。また、トレイ１０２の第２収納部１０５には、ホルダーチューブ１０およびガイドワイヤ３０の動きを規制する凸部１０６ａ，１０６ｂ，１０６ｃが設けられている。
尚、本実施形態では、図２に示した第１実施形態の保護ケース１００のトレイ１０２と同様のものを用いているが、トレイ１０２の代わりに、図３に示した第２実施形態の保護ケース１１０のトレイ１１２を用いることもできる（図示は省略）。
【００３２】
このような本実施形態の保護ケース１２０では、第１収納部１０４および第２収納部１０５に入り込む第１カバー側凸部１２８および第２カバー側凸部１２９が設けられているので、医療器具（ホルダーチューブ１０およびガイドワイヤ３０）が保護ケース１２０内で上下方向に動くことを抑制できる。その結果、ガイドワイヤ３０の先端部３０ａの直線性の担保、および折れ曲がりの防止をより確実に実現することが可能となる。
【００３３】
Ｄ．第４実施形態  ：
図５は、本発明の第４実施形態の保護ケース１３０の構成を示した説明図である。（ａ）には保護ケースのカバー１０１が示されており、（ｂ）には保護ケースのトレイ１３２にガイドワイヤ３０を収納した状態が示されており、（ｃ）には、（ｂ）のＡＡ断面を矢印の方向から見た様子が示されている。
【００３４】
第４実施形態の保護ケース１３０は、上述した各種実施形態の保護ケースとは以下の点で異なっている。すなわち、トレイ１３２には、第２収納部１３５の一部を橋渡しするように留め具２００が設けられている。図５（ｃ）に示されているように、留め具２００は、突起部２０２と蓋部２０４とからなっており、トレイ１３２側の穴部１５０に突起部２０２を差し込むことで、第２収納部１３５の一部が橋渡しされるようになっている。
【００３５】
その他の点については、上述した各種実施形態の保護ケース同様である。カバー１０１には、開封時に把持するつまみ部１０３が設けられている。また、トレイ１３２には、直線状の第１収納部１３４と円弧状の第２収納部１３５とが設けられており、第２収納部１３５には、第２収納部１３５に対する医療器具（ホルダーチューブ１０およびガイドワイヤ３０）の動きを規制する凸部１３６ａ，１３６ｂが設けられている。
【００３６】
尚、本実施形態では、図２に示した第１実施形態の保護ケース１００のカバー１０１と同様のものを用いているが、カバー１０１の代わりに、図４に示した第３実施形態の保護ケース１２０のカバー１２１を用いることとしてもよい（図示は省略）。カバー１２１を用いることで、医療器具（ホルダーチューブ１０およびガイドワイヤ３０）が保護ケース１３０内で上下方向に動くことを抑制できる。
【００３７】
このような本実施形態の保護ケース１３０では、第２収納部１３５の少なくとも一部を橋渡しする留め具２００が設けられているので、上述した本発明の効果（医療器具の先端部の直線性の担保、および折れ曲がりの防止）に加えて、トレイ１３２からカバー１０１を取り外したときに、勢いでトレイ１３２から医療器具（ガイドワイヤ３０）が飛び出して落下することを防ぐことが可能となる。
【００３８】
以上、各種実施形態の保護ケースについて説明したが、本発明は上述の実施形態に限られるものではなく、その要旨を逸脱しない範囲において種々の態様で実施することが可能である。例えば、上述した各種実施形態の保護ケースでは、第２収納部は何れも、半円よりも小さな円弧形状である（図１〜図５を参照）。これに対して、第２収納部を、半円よりも大きな円弧形状や、完全な円形状としてもよい（図示は省略）。
【００３９】
もっとも、上述した各種実施形態のように、第２収納部を半円よりも小さな円弧形状とすると、以下のようなメリットあるので好ましい。すなわち、本発明の保護ケースの機能を維持しつつ、保護ケース（ひいては包装体全体）のコンパクト化を図ることができる。また、医師は、医療器具の露出部を片手で把持しながら、もう一方の手で保護ケースを開封するので、保護ケースからの露出部が十分に確保されていることで、保護ケースの開封作業を行い易くすることが可能となる。
【符号の説明】
【００４０】
１０・・・ホルダーチューブ
１２・・・チューブ体
１４・・・結束部材
３０・・・ガイドワイヤ
３０ａ・・・（ガイドワイヤの）先端部
１００，１１０，１２０，１３０・・・保護ケース
１０１，１２１・・・カバー
１０２，１１２，１３２・・・トレイ
１０３，１２３・・・つまみ部
１０４，１１４，１３４・・・第１収納部
１０５，１１５，１３５・・・第２収納部
１０６ａ，１０６ｂ，１０６ｃ，１３６ａ，１３６ｂ・・・凸部
１１７・・・柱状凸部
１２８・・・第１カバー側凸部
１２９・・・第２カバー側凸部
１５０・・・穴部
２００・・・留め具
２０２・・・突起部
２０４・・・蓋部
【図１】
0006292627.tif 000002
【図２】
0006292627.tif 000003
【図３】
0006292627.tif 000004
【図４】
0006292627.tif 000005
【図５】
0006292627.tif 000006